(57)【特許請求の範囲】
【請求項１】
コネクタ内で線の編組に接触するためのブッシュであって、該ブッシュは、挿入方向に実質的に傾斜しており、前記編組に囲まれるようにするために前記編組に挿入されるよう構成されたブッシュにおいて、
前記ブッシュは、該ブッシュのばね付勢による拡張や収縮を可能にする放射方向の弾性を有し、
前記挿入方向に沿って延びる少なくとも１個のスリットを具備し、
少なくとも１個の突起及び該突起を収容する少なくとも１個の凹部が、前記少なくとも１個のスリットに形成されると共に、前記ブッシュの周方向に沿って延び、
前記スリットは、前記突起及び前記凹部により蛇行形状を有することを特徴とするブッシュ。
【請求項２】
前記スリットは、前記挿入方向へ前記ブッシュの全長に沿って延びることを特徴とする請求項１記載のブッシュ。
【請求項３】
互いに対向し相補的な複数の前記突起及び前記凹部は、前記少なくとも１個のスリットに沿って形成されることを特徴とする請求項１又は２記載のブッシュ。
【請求項４】
前記挿入方向を向く前記ブッシュの先端は、前記挿入方向とほぼ平行に延びる少なくとも１個の切欠を具備することを特徴とする請求項１ないし３のうちいずれか１項記載のブッシュ。
【請求項５】
前記ブッシュの少なくとも一端は、前記挿入方向とほぼ平行に延びる複数の舌片として形成されていることを特徴とする請求項１ないし４のうちいずれか１項記載のブッシュ。
【請求項６】
前記舌片は、前記挿入方向とほぼ平行に延びる前記ブッシュの縦軸に沿った突起内に前記縦軸の放射方向の周りに配置されることを特徴とする請求項５記載のブッシュ。
【請求項７】
前記ブッシュは、筒状部及び円錐部を具備することを特徴とする請求項１ないし６のうちいずれか１項記載のブッシュ。
【請求項８】
前記ブッシュは、弾性を有する金属又は合金製であることを特徴とする請求項１ないし７のうちいずれか１項記載のブッシュ。
【請求項９】
前記ブッシュは、打抜き加工された金属板から一体的に形成されることを特徴とする請求項１ないし８のうちいずれか１項記載のブッシュ。
【請求項１０】
請求項１ないし９のうちいずれか１項記載の少なくとも１個のブッシュを具備するコネクタ。
【請求項１１】
前記ブッシュは、放射方向に圧縮された状態にあり、
前記ブッシュの径は、該ブッシュの非圧縮状態と比較すると縮小していることを特徴とする請求項１０記載のコネクタ。
【請求項１２】
前記ブッシュは、線の少なくとも１個の編組やシールド構造に挿入され、且つ該編組やシールド構造と放射方向に重なることを特徴とする請求項１０又は１１記載のコネクタ。
【請求項１３】
前記ブッシュを取り囲むフェルールをさらに具備することを特徴とする請求項１０ないし１２のうちいずれか１項記載のコネクタ。
【発明の詳細な説明】
【技術分野】
【０００１】
本発明は、コネクタ内でケーブルすなわち線の防御手段すなわち編組に接触するブッシュに関する。ブッシュは、編組によって包囲されるために編組内に挿入される挿入方向に沿って傾斜する。さらに、本発明は、電気コネクタに関する。
【背景技術】
【０００２】
部品と同様に、ケーブル上の少なくとも１個の様々な標準コネクタ用のエンクロージャ組立体、そのエンクロージャ組立体の利点、様々な実施形態及び特徴に関して特許文献１及び特許文献２に完全に開示されているので、参照されたい。
【０００３】
以下では、簡単のために、用語「線」が、ケーブル、電線や光ファイバ等を表わすものとして用いられる。用語「編組」が、編組、シールド、防御手段（armour）や、線の補強構造を表わすものとして用いられる。用語「コネクタ」は、全てのコネクタ、プラグや、プラグ部材を表わすものとして用いられるが、電気コネクタや光コネクタには限定されない。「前方」という向きは、ブッシュを具備するコネクタに嵌合する相手コネクタをブッシュが向く向きか、又はブッシュが摺動する線の端部の向きと定義される。従って、「後方」という向きは、その逆向き、すなわち線の端部が相手コネクタから離れる向きを指す。ブッシュが線上に実装されると、前方及び後方は線とほぼ平行である。
【０００４】
最初に説明したように、コネクタ内で線の編組と接触するブッシュは、従来技術で公知である。例えば、特許文献３は、線の絶縁された導電体を取り囲みながら、シールド編組に差し込まれることによりシールド編組を圧入するために設けられた傾斜フェルールを開示する。さらに、特許文献４は、線の束にフィットする十分に大きな内径を有する固いブッシュを開示する。このブッシュは、線を囲む金属編組シールド内へ挿入される。
【先行技術文献】
【特許文献】
【０００５】
【特許文献１】欧州特許第２３０２４３１号明細書
【特許文献２】欧州特許第２３５４８２５号明細書
【特許文献３】米国特許第４１５０８６５号明細書
【特許文献４】米国特許第４９６３１０４号明細書
【発明の概要】
【発明が解決しようとする課題】
【０００６】
例えば上述の特許文献３又は特許文献４に開示された従来技術のブッシュの欠点は、線の編組が機械的に信頼性高い状態で導電的に均等に接触しないおそれがあることである。というのは、ブッシュは、編組内に挿入される際、又はその後の取扱い中に、折り目がついたり、皺が寄ったり、果ては裂けたり砕けたりする傾向があるからである。
【０００７】
従って、本発明は、信頼性高く電気的接続や機械的接続するために、穏やかな方法で編組内に挿入でき、同時に、編組がブッシュに均等に接触できるブッシュを提供することを目的とする。
【課題を解決するための手段】
【０００８】
上述の目的は、本明細書の最初に述べた本発明に係るブッシュで達成される。このブッシュは、そのばね付勢による拡張や収縮を可能にする放射方向の弾性を有する。
【０００９】
本明細書の最初に述べた電気コネクタに関して、上述の目的は、少なくとも１個の本発明に係るブッシュを具備することで達成される。
【００１０】
本解決手段は、ブッシュが、小さな周囲長さを有しながら編組に挿入できることを可能にする。というのは、放射方向に弾性を有するので、挿入中のブッシュを放射方向に圧縮することができるからである。その後、ブッシュに対する圧力が減少する結果、ブッシュは初期の非圧縮状態となる。これにより、編組にぴったりと嵌まるので、張力印加が穏やかであるか、或いは折り目又は破裂を生ずることなく拡がる。この手順は、連続シールド、すなわち編組接続が工具無しで達成できるという別の利点がある。このため、本発明は、ブッシュを具備するコネクタの安定性及び現場での実装性を改善する。
【００１１】
以下では、本発明に係るブッシュ及びコネクタの更なる改良について説明される。これらの追加の改良は、特定の改良の特定の利点が特定の用途で必要とされるかどうかにより、互いに独立して結合することができる。
【００１２】
第１の有利な改良によれば、ブッシュは、挿入方向に沿って延びる少なくとも１個のスリットを具備する。このスリットにより、ブッシュに上述したような放射方向の弾性を与えることに加えて、例えば、ブッシュの材料厚さ及び材料自体を最適化することでブッシュのばね特性が向上する。
【００１３】
ばね特性は、スリットが挿入方向にブッシュの全長に沿って延びるという更なる改良がなされる。これは、編組内へ後方に挿入しながら、ブッシュ全体を圧縮することを可能にする。さらに、ブッシュの全長に沿って延びるスリットは、編組との穏やかな周囲接触のためにブッシュの長さに沿って均等の分布したばね特性を可能にする。
【００１４】
少なくとも１個の突起及びこの突起を収容する少なくとも１個の凹部が、少なくとも１個のスリットに形成されると共にブッシュの周囲方向に沿って延びる。スリットにおけるブッシュの縁は、その長さに沿って噛み合う、すなわち交互配置される。このため、ブッシュの全長や周囲に沿って、ばね力は、編組に均等に作用する。換言すると、挿入方向に沿った特に突起内で、間隙が編組の壁内に形成されることを防止する。これは、編組内へのブッシュの穏やかな挿入を改善する。
【００１５】
ブッシュの外周により編組の内周にばね力が穏やかに作用することは、互いに対向したり補完し合ったりするいくつかの突起及び凹部が少なくとも１個のスリットに沿って形成されるという更なる改良がなされる。換言すると、少なくとも１個のスリットは、少なくとも部分的に蛇行形状を有する。
【００１６】
ブッシュのばね特性は、挿入方向を向くブッシュの先端が挿入方向とほぼ平行に延びる少なくとも１個の切欠を具備するという更なる改良がなされる。スリットに加えて少なくとも１個の切欠は、特に先端、すなわち最初に編組に挿入されるブッシュの傾斜した端部でのばね特性の改良を可能にする。
【００１７】
特に後端、すなわち後方を向くブッシュの先端のばね特性は、ブッシュの少なくとも一端が挿入方向とほぼ平行に延びるいくつかの舌片として形成されるという更なる改良がなされる。これらの舌片の間には、上述した少なくとも１個の切欠が形成される。これらの舌片は、挿入方向とほぼ平行に延びるブッシュの縦軸に沿った突起内に縦軸の放射方向の周りに配置される。これにより、少なくとも一端、すなわち後端のばね特性が改良される。
【００１８】
ブッシュは、筒状部及び円錐部を具備する。筒状部は編組の特定外径の下で編組との均等且つ穏やかな接触を改良するのに対し、円錐部は編組へのブッシュの挿入を容易にすると共にブッシュに傾斜を与える。代わりに又は加えて、ブッシュ、その筒状部やその円錐部は、楕円であってもよく、必ずしも円形断面である必要はない。換言すると、ブッシュは、少なくとも部分的に環状の断面を有する任意の種類の部分を有してもよい。環状断面は、挿入方向に沿って、特に最初に編組に挿入されるよう構成されたブッシュの先端すなわち端部に向かって傾斜した形状又は面取り形状を有する。
【００１９】
ブッシュのばね特性は、ブッシュが弾性を有する金属又は合金製である点で電気特性を最適化しながら改良される。これにより、ブッシュの所望の電気及びばねの特性が達成される。ブッシュは、打抜き加工された金属板から一体的に形成される点で容易に製造できる。
【００２０】
本発明に係るブッシュは、コネクタ内で、放射方向に圧縮された状態にある。ブッシュの径は、ブッシュの非圧縮状態と比較すると縮小している。このため、ブッシュは、コネクタ内の内径、又はコネクタ内に収容された線に絶え間なくばね力を及ぼす。ブッシュは、線の少なくとも１個の編組や、コネクタ又はコネクタ組立体のシールド構造に挿入され、且つコネクタの放射方向にこれら編組やシールド構造と重なる。
【００２１】
編組は、ブッシュを取り囲むフェルールをコネクタがさらに具備する点でブッシュに対して容易に固定できる。換言すると、フェルールは、ブッシュが編組に挿入された後、前方へブッシュ上に摺動できる。このため、編組は、フェルールにより取り囲まれるので、フェルール及びブッシュ間で移動不能である。
【００２２】
さらに、線接続用のキット又はコネクタ用のキットは、本発明に係るブッシュを具備する。これにより、キットは、現場やコネクタ内でのケーブルすなわち線の接続に役立つ。また、これは、コネクタ内、特に上述したエンクロージャ組立体内のコネクタ内でブッシュを容易に使用できる。
【００２３】
以下では、典型的な実施形態を用いて図面を参照して本発明及びその改良を詳細に説明する。上述したように、実施形態に示される様々な特徴は、特定用途の要求事項に従って互いに独立して使用することができる。
【図面の簡単な説明】
【００２４】
【図１】線に取付け可能状態にある、本発明に係るブッシュの斜視図である。
【図２】図１に示された線に取り付けられたブッシュの斜視図である。
【図３】電気コネクタとの接続状態で使用される図１及び図２のブッシュ及び線を示す斜視図である。
【図４】エンクロージャ組立体内に配置された図３のブッシュ、線及びコネクタを示す断面図である。
【図５】図４のエンクロージャ組立体、ブッシュ、線及びコネクタを具備するコネクタ組立体の断面図である。
【図６】本発明に係るブッシュを示し、（Ａ）図１ないし図５に示されたブッシュの斜視図、（Ｂ）本発明に係るブッシュの別の実施形態を示す斜視図、（Ｃ）本発明に係るブッシュの別の実施形態を示す斜視図、及び（Ｄ）本発明に係るブッシュの別の実施形態を示す斜視図である。
【発明を実施するための形態】
【００２５】
図１は、第１の仮組立状態Ｐ1において線１００に取付け可能状態にある、本発明の一実施形態に係るブッシュを示す斜視図である。ブッシュ１は本体２を有し、本体２は筒状部３及び円錐部４を有する。筒状部３は、ブッシュ１の過渡領域５で円錐部４と一体化する。筒状部３は、過渡領域５から、ブッシュ１が相手コネクタ（図示せず）に対面する前方向Ｆを向くブッシュ１の前端６まで延びる。前端６は、ブッシュ１の前開口７を与える。前開口７は、ブッシュ１のほぼ環状の前縁８により取り囲まれる。
【００２６】
円錐部４は、ブッシュ１の過渡領域５から後端９まで延びる。後端９は、ブッシュ１の後開口１０を与える。後端９は、ブッシュ１の後縁１１により取り囲まれる。過渡領域５から後縁１１に向かってブッシュ１の先端１２が形成されるように、ブッシュ１は傾斜する。先端１２を与える後端９は、ブッシュ１の挿入方向Ｉを向く。挿入方向Ｉは、ブッシュ１が線１００と嵌合することになっている後方Ｒとほぼ平行に延びる。
【００２７】
前開口７及び後開口１０により、ブッシュ１の内部空間１３はアクセス可能である。内部空間１３は、ブッシュ１の内周１４により周囲方向に縁取られる。縦軸Ｌは、内部空間１３を通って同心状に延びる。換言すると、内周１４は、放射方向Ｏに縦軸Ｌを取り囲む。本体２の外側で、ブッシュ１の壁１５が外周１６を形成する。この外周１６も、縦軸Ｌの周りをほぼ放射方向に延びる。
【００２８】
スリット１７が、壁１５に形成されると共に縦軸Ｌにほぼ沿って延びる。スリット１７は、いくつかの突起１８及び凹部１９を具備する蛇行形状を有する。これらの突起１８及び凹部１９は、ブッシュ１の周囲方向Ｃにほぼ沿って延びる。周囲方向Ｃは、縦軸Ｌの周りに同心状に延びると共に、ブッシュ１の内周１４及び外周１６により区画される。図１に示されるブッシュ１の非圧縮状態Ｕでは、非圧縮状態Ｕのブッシュ１の径ＤUが後述するブッシュ１の圧縮状態Ｖの縮小径ＤVまで縮小するように、ブッシュ１が圧縮される。
【００２９】
線１００は２本の撚り線１０１を具備する。撚り線１０１は、任意の種類の導電体、光ファイバ又は光ファイバの束か、それらを具備する。本発明の典型的な実施形態において、各撚り線１０１は、線の電気絶縁体や外被等の内側電気絶縁体１０３により囲まれる導電体１０２を具備する。線１００の編組１０４は、撚り線１００の周囲を取り囲む。編組１０４は、撚り線１０１の適当なシールドを提供する金属構造を具備する金属網や金属箔で形成される。代わりに又はさらに、編組１０４は、防御構造や補強構造自体であるか、又はそれらを具備する。編組１０４は、編組１０４が切断される継目すなわち縁１０５を有する。縁１０５は、編組１０４の内周１０８を区画する編組内部１０７を向く編組開口１０６で縁取りされる。
【００３０】
編組１０４の外周１０９は異なる径を有するので、編組１０４は、拡大部１１０、過渡部１１１及び狭窄部１１２を有する。編組開口１０６を有する拡大部１１０は、前方向Ｆを向くと共に挿入方向Ｉに対向している。拡大部１１０の径Ｄ110は、狭窄部１１２の径Ｄ112より大きい。狭窄部１１２は、編組１０４が線１００の外側絶縁体１１３を通って延びる径を有する。換言すると、編組１０４の狭窄部１１２は、線１００の製造時に編組１０４の元の径にほぼ対応する径Ｄ112を有する。
【００３１】
さらに、フェルール２００が設けられる。このフェルール２００は、線１００上、特に線１００の外側絶縁体１１３上を摺動する。フェルール２００は、カラー部２０１、傾斜部２０２及び狭小部２０３を具備する。カラー部２０１は、傾斜部２０２を介して狭小部２０３と一体化する。カラー部２０１は、狭小部２０３の径Ｄ203より大きな径Ｄ201を有する。カラー部２０１は、フェルール２００の前開口２０４を区画する。前開口２０４は、前縁２０５によって縁取られる。前開口２０４により、カラー部２０１内にリセプタクル２０６が形成される。このリセプタクル２０６は内周２０７を有する。換言すると、カラー部２０１におけるフェルール２００の内部空間は、内周２０７を有するリセプタクル２０６を形成する。
【００３２】
図２は、第２の仮組立状態Ｐ2でのブッシュ１、線１００及びフェルール２００を示す斜視図である。第２の仮組立状態Ｐ2において、フェルール２００は、編組１０４の拡大部１００内に、すなわち編組内部１０７に挿入される途中である。従って、ブッシュ１は、挿入方向Ｉすなわち後方向Ｒに沿って前方向Ｆとは逆向きに撚り線１０１の端部上に摺動される。ブッシュ１は現在、スリット１７の幅と同様に径、周囲長さが非圧縮状態Ｕに対して縮小している圧縮状態Ｖにある。
【００３３】
図３は、ブッシュ１が編組１０４内に十分に挿入され、コネクタ３００が線１００に取り付けられる第３の仮組立状態Ｐ3を示す斜視図である。コネクタ３００は、任意の種類の非標準化コネクタ又は標準化コネクタであってもよく、ＲＪ４５、ＨＳＩＯ、ＡＭＰＭＯＤＵ、ＨＤＭＩ、或いは他の標準化又は非標準化の電気コネクタや光コネクタであってもよい。典型的な本実施形態において、コネクタ３００は、線１００の１本の撚り線１０１がそれぞれ取り付けられた２本の端子３０１を具備する。端子３０１は、コネクタ３００のハウジング３０２、特にハウジング３０２の第１ハウジング部３０２ａに取り付けられる。第１ハウジング部３０２ａは、第２ハウジング部３０２ｂにより補完されるよう構成される。
【００３４】
端子３０１は、ハウジング３０２内の各端子ホルダ３０３にそれぞれ保持されるので、前方向Ｆ及び後方向Ｒに沿って再配置できない。後方向Ｒの端部において、停止部３０４は各ホルダ３０３に形成される。ブッシュ１の前縁８は少なくとも１個の停止部３０４に当接するので、ブッシュ１は、編組内部１０７内で再配置不能に保持される。このため、図３に示される第３の仮組立状態Ｐ3におけるブッシュ１は、編組１０４内に最大限挿入される。ブッシュ１は、圧縮状態のままであり、外周１６が編組１０４の内周１０８に放射方向のばね力を及ぼす。これにより、内周１０８には放射方向に張力がかかる。
【００３５】
図４は、組立状態Ａのブッシュ１、線１００、フェルール２００、コネクタ３００及びエンクロージャ組立体４００を示す。組立状態Ａにおいて、コネクタ３００は、エンクロージャ組立体４００内に設けられたコネクタ空間４０１内に挿入される。フェルール２００のカラー部２０１は、コネクタ３００の首部３０５を取り囲む。特に、カラー部２０１におけるフェルール２００の内周２０７は、首部３０５の外周３０６を取り囲む。後方向Ｒを向く首部３０５の端部に形成された面取り部３０７は、フェルール２００の傾斜部２０２により取り囲まれる。
【００３６】
ブッシュ１は、編組１０４内にぴったりと嵌まり、前方向Ｆに沿って停止部３０４に当接する。編組１０４は、フェルール２００の狭小部２０３により取り囲まれる。狭小部２０３は、線１００の外側絶縁体１１３と重なるように、後方向Ｒに延びる。このため、編組１０４は、フェルール２００の狭小部２０３及びブッシュ１間で周方向に挟まれる。
【００３７】
図５は、組立状態Ａのブッシュ１、線１００、フェルール２００、コネクタ３００及びエンクロージャ組立体４００を示す。ここで、フェルール２００、特にフェルール２００の主に狭小部２０３は、ブッシュ１を全放射方向に取り囲むことが明白になる。特に、ブッシュ１の筒状部の領域において、狭小部２０３はブッシュ１を緊密に取り囲むので、編組１０４はその間に取り付けられる。傾斜部２０２の領域において、フェルール２００は、コネクタ３００のハウジング３０２に形成された面取り部３０７を取り囲む。フェルール２００は、そのカラー部２０１で、コネクタ３００の首部３０５を取り囲む。このため、フェルール２００及びコネクタ３００間と同様に、フェルール２００及びブッシュ１間が積極的に嵌まる。
【００３８】
同時に、フェルール２００は、コネクタ３００と同様に、線１００の外側絶縁体１１３、ブッシュ１に重なる。このため、ブッシュ１はフェルール２００内でしっかりと保持される。また、ブッシュ１は、その前縁８がハウジング３００に設けられた停止部３０４に支持される。編組１０４は、フェルール２００及びブッシュ１の間で、ぴったりとしたフィット、すなわち積極嵌めや圧入で移動不能となるように挟まれたり、詰め込まれたりする。
【００３９】
撚り線１０１は、ブッシュ１、線１００、フェルール２００、コネクタ３００及びエンクロージャ組立体４００を具備するコネクタ組立体５００のあらゆる場所でシールドにより囲まれるという点で、機械的影響や電磁的影響から連続的に保護される。従って、ハウジング３０２の領域において、コネクタ３００は、エンクロージャ組立体４００のシールド構造４０２により囲まれる。シールド構造４０２は、相手コネクタ組立体（図示せず）が特に相補的にコネクタ組立体５００のプラグ面５０１と係合するように、前方向Ｆに開放する。
【００４０】
図６は、本発明の異なる実施形態に係るブッシュ１，１’，１’’，１’’’を示す。図６（ａ）及び図６（ｂ）に示されるブッシュ１，１’はともに、上述した蛇行スリット１７を有する。各々の場合において、スリットは、互いに相補的な突起１８及び凹部１９により縁取られる。対照的に、図６（ｃ）及び図６（ｄ）に示されるブッシュ１’’，１’’’に形成されたスリット１７’は、前端６からブッシュ１’’，１’’’の後端９まで直線的に延びる。
【００４１】
また、図６（ｂ）及び図６（ｄ）に示されたブッシュ１’，１’’’は、前方向Ｆに開放する切欠２０を具備する。ブッシュ１’，１’’’は、ブッシュ１，１’’とは異なる円錐部４’を有する。スリット１７，１７’や切欠２０’の形成による円錐部４’は、それら円錐部４’が前方向へ延びる舌片２１を具備するように形成される。舌片２１は、円錐部４’の弾性及びばね特性を向上させる。
【００４２】
本発明の上述の実施形態からの変形は、本発明の技術思想から逸脱することなく可能である。ブッシュ１，１’，１’’，１’’’は、編組開口１０６への挿入を容易にするための所望形状を有する円錐部４，４’を有する本体を具備してもよい。このため、筒状部３は必須ではないが、外周１６により編組１０４の内周へ放射方向に作用するばね力の穏やかで均等な伝達を改善する。従って、過渡領域５は、省略可能であるものの、編組１０４へのブッシュ１，１’，１’’，１’’’の円滑な挿入を向上させることを理解されたい。
【００４３】
スリット１７，１７’は、ブッシュ１，１’，１’’，１’’’の弾性圧縮を可能にするために形成される。前端６及び後端９は、弾性を付加するための適当ないかなる形状であれ、追加の切欠２０や舌片２１を具備する。
【００４４】
線１００は、特定用途で要求されるいかなる数、形態及び形状であれ、導電体１０２及び内側電気絶縁体１０３を有する多数の撚り線１０１、編組１０４、外側絶縁体１１３、外被、防御手段、補強構造や光ファイバを具備する。また、フェルール２００は、ブッシュ１，１’，１’’，１’’’を収容するのに適当ないかなる形態及び形状であれ、前開口２０４、リセプタクル２０６及び内周２０７を形成するために、及びコネクタ３００やエンクロージャ組立体４００内に収容するために、カラー部２０１、傾斜部２０２や狭小部２０３を具備する。
【００４５】
コネクタ３００は、ブッシュ１，１’，１’’，１’’’、線１００、フェルール２００及びコネクタ３００を取り囲むために、いかなる数、形態及び形状であれ、端子３０１、ハウジング３０２、ハウジング部３０２ａ，３０２ｂ、ホルダ３０３、停止部３０４、首部３０５及び面取り部３０７を具備する。
【００４６】
しかし、ブッシュ１，１’，１’’，１’’’、線１００、フェルール２００、コネクタ３００、エンクロージャ組立体４００やコネクタ組立体５００が容易に整列し互いに対して調整できるように、例えば環状、傾斜、面取りや円錐の好適には互いに係合する重ね合わせ形状を有することにより、円錐部４，４’、拡大部１１２、傾斜部２０２及び面取り部３０７が形成され、相補的且つ同心状に配置されると利点がある。
【符号の説明】
【００４７】
１，１’，１’’，１’’’  ブッシュ
３                          筒状部
４                          円錐部
９                          後端（一端）
１１                        後縁（一端）
１２                        先端
１７，１７’                スリット
１８                        突起
１９                        凹部
２０                        切欠
２１                        舌片
１００                      線
１０４                      編組
２００                      フェルール
３００                      コネクタ
４０２                      シールド構造
Ｃ                          周方向
Ｉ                          挿入方向
Ｌ                          縦軸
Ｏ                          放射方向
Ｕ                          非圧縮状態
Ｖ                          圧縮状態
【図１】
0006341528.tif 000002
【図２】
0006341528.tif 000003
【図３】
0006341528.tif 000004
【図４】
0006341528.tif 000005
【図５】
0006341528.tif 000006
【図６】
0006341528.tif 000007